(57)【要約】【課題】この発明は、ビテオテープに記録されている映像コンテンツをダビングした際に、番組単位に区切った記録が自動的に行えるようになる映像記録装置を提供することを目的とする。【解決手段】外部から入力されるアナログ映像信号を記録媒体に記録する機能を備えた映像記録装置において、入力された映像信号から同期信号を分離する同期信号分離手段、分離した同期信号の間隔を測定する測定手段、ならびに測定した同期信号の間隔が所定値を越えているか否かに基づいて、番組切り替わり期間を検出する検出手段を備えている。【選択図】  図１
2004248200.tif 000002
【特許請求の範囲】
【請求項１】
外部から入力されたアナログ映像信号を記録媒体に記録する機能を備えた映像記録装置において、
入力された映像信号から同期信号を分離する同期信号分離手段、
分離した同期信号の間隔を測定する測定手段、ならびに
測定した同期信号の間隔が所定値を越えているか否かに基づいて、番組切り替わり期間を検出する検出手段、
を備えていることを特徴とする映像記録装置。
【請求項２】
検出手段による検出結果に基づいて、番組の先頭データが記録媒体に記録される位置の情報を、記録媒体に記録する手段を備えていることを特徴とする請求項１に記載の映像記録装置。
【発明の詳細な説明】
【０００１】
【発明の属する技術分野】
この発明は、アナログ映像信号を外部から入力して記録する機能を有するＤＶＤレコーダ、ハードディスクレコーダまたはＤＶＤ・ハードディスク一体型のハイブリッド型レコーダ等の映像記録装置、あるいは、それら以外の光記録メディア、磁気記録メディア、光磁気記録メディアを用いた映像記録装置、あるいは、フラッシュメモリ等の半導体メモリを記録媒体とする映像記録装置に関する。
【０００２】
【従来の技術】
ＶＴＲ等のアナログのビデオテープレコーダの後継機として、ＤＶＤレコーダ、ハードディスクレコーダまたはＤＶＤ・ハードディスク一体型のハイブリッド型レコーダ等の映像記録装置が製品化されている。ＶＴＲに比べてこれらの映像記録装置が持つメリットとしては、記録した映像コンテンツ（例えば、テレビ番組）の頭出しがダイレクトに行える（ダイレクトアクセス）ことや、ＤＶＤに記録する場合、ビデオテープに記録する場合に比べて、記録メディアがかさばらないこと等が挙げられる。
【０００３】
ＤＶＤレコーダ、ハードディスクレコーダ、ハイブリッド型レコーダ等の新しい映像記録装置では、その映像コンテンツの情報（ファイル名等）やファイルの先頭が記録された位置（セクタ）情報を、別途同じ記録メディアに上に用意された所定のデータ管理テーブル（データ管理ファイル）に書き込み、アクセス時にこのデータ管理テーブルを参照することによって、映像コンテンツのダイレクトアクセスを可能としている。
【０００４】
このようなファイル管理の標準的な仕組みとして、ハードディスクではＦＡＴ１６  、ＦＡＴ３２  などが、ＤＶＤではＵＤＦ  やその上位となるアプリケーションフォーマットが規格化されている。
【０００５】
ＤＶＤレコーダ、ハードディスクレコーダ、ハイブリッド型レコーダ等の新しい映像記録装置は上述したようなメリットを有しているので、ビテオテープに記録されている映像コンテンツを、新しい映像記録装置にダビングするといった用途は今後増加していくと考えられる。
【０００６】
例えば、複数のテレビ番組が番組毎に記録されている１本のビデオテープをＶＴＲで再生し、その再生出力をＤＶＤレコーダに外部からアナログ映像信号として入力して、ＤＶＤに記録する場合を考える。通常のダビング操作では、ビデオテープに記録されている複数のテレビ番組は、連続した１つの映像コンテンツ（ファイル）として記録されてしまうため、記録後において２番目以降のテレビ番組の頭出しができなくなる。２番目以降のテレビ番組の頭出しを可能とするためには、ダビング時にユーザが録画画面を確認しながら、手動で１番組づつ区別してＤＶＤに記録していく必要があり、ユーザにとっは大きな負担となる。
【０００７】
【発明が解決しようとする課題】
この発明は、ビテオテープに記録されている映像コンテンツをダビングする際に、番組単位に区切った記録が自動的に行えるようになる映像記録装置を提供することを目的とする。
【０００８】
【課題を解決するための手段】
請求項１に記載の発明は、外部から入力されるアナログ映像信号を記録媒体に記録する機能を備えた映像記録装置において、入力された映像信号から同期信号を分離する同期信号分離手段、分離した同期信号の間隔を測定する測定手段、ならびに測定した同期信号の間隔が所定値を越えているか否かに基づいて、番組切り替わり期間を検出する検出手段を備えていることを特徴とする映像記録装置。
【０００９】
請求項２に記載の発明は、請求項１に記載の映像記録装置において、検出手段による検出結果に基づいて、番組の先頭データが記録媒体に記録される位置の情報を、記録媒体に記録する手段を備えていることを特徴とする。
【００１０】
【発明の実施の形態】
以下、図面を参照して、  この発明をＤＶＤレコーダに適用した場合の実施の形態について説明する。
【００１１】
図１は、ＤＶＤレコーダの映像記録回路の構成を示している。
【００１２】
図１を参照して、ＶＴＲからのアナログ映像信号を、ＤＶＤに記録する場合について説明する。ここでは、説明を簡単にするため、映像系統についてのみ説明しは、音声系統についてはその説明を省略する。
【００１３】
ＶＴＲからのアナログ映像信号は、ＡＧＣやクランプ処理を行う入力Ｉ／Ｆブロック１１を通って、スイッチ１２に入力される。スイッチ１２は、通常は、接点ａ側（入力側）に接続されている。このため、入力Ｉ／Ｆブロック１１から出力される映像信号は、通常は、スイッチ１２、ＹＣ分離・クロマデコード処理ブロック１３、Ａ／Ｄ変換ブロック１４、ＭＰＥＧ２エンコードブロック（圧縮ブロック）１５、ストリームコントローラ１６を介して、メモリ１７上の制御プログラムによるＣＰＵ１８の制御により、ＤＶＤ装置１９に記録される。
【００１４】
ここでは、複数のテレビ番組が番組毎に記録されている１本のビデオテープをＶＴＲで再生し、その再生出力をＤＶＤレコーダに外部からアナログ映像信号として入力して、ＤＶＤに記録する場合を考える。このような場合には、ＶＴＲによる再生時に番組の終了と次の番組開始までの期間において同期信号が不連続となる。そこで、このＤＶＤレコーダでは、同期信号が不連続となる期間を検知することで、番組の切れ目を判別し、番組毎にファイルを別けて記録を行う。
【００１５】
同期信号の不連続の検知は、次のようにして行われる。まず、同期分離ブロック２１において、入力Ｉ／Ｆブロック１１から出力される映像信号から同期信号（垂直同期信号または水平同期信号）を分離する。ここでは、同期分離ブロック２１は、入力Ｉ／Ｆブロック１１から出力される映像信号から垂直同期信号を分離するものとする。同期分離ブロック２１で得られた垂直同期信号は、判別回路２２に送られる。判別回路２２は、入力する垂直同期信号の間隔をカウンタ２３を用いて計測する。
【００１６】
垂直同期信号の間隔は、１／６０秒である。判別回路２２は、垂直同期信号の間隔が、予め設定した時間ＲＴよりも長ければ、番組が切り替わったと判別して、スイッチ１２を接点ｂ側（グランド側）に切替える。スイッチ１２が接点ｂ側に切り換えられると、スイッチ１２はグランドに接続されるため、スイッチ１２の出力は、無信号となる。
【００１７】
図２を参照して、番組の切れ目を判別する際の動作について説明する。
【００１８】
判別回路２２は、垂直同期信号の間隔ΔＴをカウンタ２３を用いて計測し、垂直同期信号の間隔ΔＴがＲＴを越えた時点Ａから間隔ΔＴがＲＴ以下となる時点Ｂまで、同期信号不連続期間として、スイッチ１２を接点ｂ側に切り換える。通常、番組の切れ目において、次の番組再生が安定するには、１０フィールド程度かかるため、ＲＴの値は、１０フィールド期間（＝１／６０×１０＝１／６秒）に設定している。
【００１９】
番組の切れ目ではなく、テープの傷や歪みなどによって生じる同期信号の不具合では、同期信号が１０フィールドにわたって抜けるといったことは無いため、「テープの傷や歪み等によって生じる同期信号の不具合」を、「番組の切れ目」と誤判別するといったことが防止される。
【００２０】
図３のΔＴ１はテープの傷や歪みなどによって同期信号が抜けた場合を、図３のΔＴ２は同期信号の間隔が短くなった場合を示している。この実施の形態によれば、いずれの場合にも、番組の切れ目であると判別されない。
【００２１】
図４は、判別回路２２の動作を示している。
【００２２】
カウンタ２３は、所定時間毎にカウント値を更新しているものとする。同期分離信号（垂直同期信号）の立ち上がりを検出すると（ステップ１）、カウンタ２３の値Ｄ１を読み込み図示しない第１メモリに格納する（ステップ２）。
【００２３】
この後、同期分離信号（垂直同期信号）の立ち上がりを検出すると（ステップ３）、カウンタ２３の値Ｄ２を読み込み図示しない第２メモリに格納する（ステップ４）。そして、時間差ΔＴ（＝Ｄ２−Ｄ１）を計算する（ステップ５）。また、第２メモリに記憶した値Ｄ２を、第１メモリにＤ１として記憶する（ステップ６）。
【００２４】
上記ステップ５で算出された時間差ΔＴが設定値ＲＴを越えているか否かを判別する（ステップ７）。時間差ΔＴが設定値ＲＴを越えていない場合には、スイッチ１２を制御するための判別信号を”Ｈｉ”にセットした後（ステップ８）、ステップ３に戻る。なお、スイッチ１２は、判別信号が”Ｈｉ”の場合には、接点ａ側に接続され、判別信号が”Ｌｏｗ”の場合には接点ｂ側に接続されるものとする。
【００２５】
上記ステップ７において、時間差ΔＴが設定値ＲＴを越えている場合には、スイッチ１２を制御するための判別信号を”Ｌｏｗ”にセットした後（ステップ９）、ステップ３に戻る。
【００２６】
ＤＶＤへの映像記録は、通常ＭＰＥＧ２プログラムストリームで記録される。ストリームコントローラ１６は、映像データと音楽データとを１つのファイルにまとめてプログラムストリームを作成する。ストリームコントローラ１６は、圧縮ブロック１５からの映像データが無信号（グランド接地レベル）となった時点でファイルを閉じて１つのファイルとする。
【００２７】
このようにしてファイルが閉じられた後に、次の番組が再生されると同期信号が連続となり、スイッチ１２は接点ｂ側（入力側）に切り替わり、圧縮ブロック１５からの映像データが出力される。ストリームコントローラ１６は、圧縮ブロック１５からグランド接地レベル以上の映像データが入力されると、新しい番組としてＤＶＤ装置１９に記録を始めるとともに、そのメディアに応じたファイル管理システム仕様に合わせて、その番組の先頭データが書き込まれたメディア上の位置（セクタ）情報等を所定のデータ管理テーブル（データ管理ファイル）に書き込む。
【００２８】
上記実施の形態では、番組の切り替わり期間だけ映像信号を特定の値（グランドレベルの値）に置き換えることによって、ストリームコントローラ１６が番組の切り替わり期間を識別できるようにしているが、判別回路２２からの判別結果に基づいて、ＣＰＵ１８が圧縮ブロック１５およびストリームコントローラ１６を制御するようにしてもよい。
【００２９】
図５は、判別回路２２からの判別結果に基づいて、ＣＰＵ１８が圧縮ブロック１５およびストリームコントローラ１６を制御するようにした場合の構成例を示している。
【００３０】
図５において、図１と同じものには、同じ符号を付してその説明を省略する。図５の回路では、スイッチ１２は無く、入力Ｉ／Ｆブロック１から出力される映像信号は、ＹＣ分離・クロマデコードブロック１３に直接送られている。また、判別回路２２の判別信号は、ＣＰＵ１８に送られている。
【００３１】
ＣＰＵ１８は、判別回路２２の判別信号の”Ｈｉ”が連続する期間を１つのファイルと認識して、圧縮ブロック１５およびストリームコントローラ１６を制御する。
【００３２】
ハイブリッド型レコーダを用いて、ビデオテープに記録された複数の番組の映像コンテンツを、ジャンル毎に異なるＤＶＤに録画させる場合について説明する。まず、ビデオテープに記録された映像コンテンツを一旦、ハイブリッド型レコーダ内のハードディスクにダビングし、この後、ハードディスクからＤＶＤへの記録を行う。
【００３３】
ビデオテープからハイブリッド型レコーダ内のハードディスクへのダビング時には、上述した方法によって、番組の切れ目毎に別ファイルとして記録するか、あるいはファイルは分離せずに、番組の切れ目の位置（セクタ）情報のみを所定のデータ管理テーブル（データ管理ファイル）に書き込む。そして、ハードディスクからＤＶＤへの記録時には、当該ＤＶＤに記録すべきコンテンツの選択および記録順序を決定する。
【００３４】
なお、この発明は、ＤＶＤレコーダ、ハードディスクレコーダまたはＤＶＤ・ハードディスク一体型のハイブリッド型レコーダ等の映像記録装置の他、これら以外の光記録メディア、磁気記録メディア、光磁気記録メディアを用いた映像記録装置、あるいは、フラッシュメモリ等の半導体メモリを記録媒体とする映像記録装置にも適用することができる。
【００３５】
【発明の効果】
この発明によれば、ビテオテープに記録されている映像コンテンツをダビングする際に、番組単位に区切った記録が自動的に行えるようになる。
【図面の簡単な説明】
【図１】ＤＶＤレコーダの映像記録回路の構成を示すブロック図である。
【図２】番組の切れ目を判別する際の動作を説明するためのタイムチャートである。
【図３】テープの傷や歪みなどによって同期信号が抜けた場合、同期信号の間隔が短くなった場合に、番組の切れ目であると判別されないことを示すタイムチャートである。
【図４】判別回路２２の動作を示すタイムチャートである。
【図５】変形例を示すブロック図である。
【符号の説明】
１１  入力Ｉ／Ｆブロック
１２  スイッチ
１３  ＹＣ分離・クロマデコード処理ブロック
１４  Ａ／Ｄ変換ブロック
１５  ＭＰＥＧ２エンコードブロック（圧縮ブロック）
１６  ストリームコントローラ
１７  メモリ
１８  ＣＰＵ
１９  ＤＶＤ装置
２１  同期分離ブロック
２２  判別回路
２３  カウンタ
【図１】
2004248200.tif 000003
【図２】
2004248200.tif 000004
【図３】
2004248200.tif 000005
【図４】
2004248200.tif 000006
【図５】
2004248200.tif 000007